(57)【要約】      （修正有）【課題】バヨネット型口金をランプに固定するのに接着剤および熱処理を必要としないバヨネット型電球形状蛍光ランプを提供する。【解決手段】バヨネット型電球形状蛍光ランプには放電管、安定器回路と、放電管構成を囲む部分および安定器回路を囲む伸長部を含む外側封体２とが含まれる。伸長部はランプの口金６に外側封体を固定するためのネック部８を有する。口金はバヨネット型であり、口金シェル１２を有し、口金シェルは外側封体に口金を固定するための受け部１３を有する。口金シェルの受け部は雌ねじ１４を含み、伸長部のネック部は口金シェルの受け部の雌ねじに嵌合する雄ねじ９を含み、口金６は雌ねじおよび雄ねじによって形成されたねじ接合部を使って外側封体に固定される。【選択図】図３
2010205727.tif 000002
【特許請求の範囲】
【請求項１】
放電ガスで満たされた放電容積部を囲む少なくとも１つの放電管で形成され、前記管の内側表面上に配置された蛍光被覆を有する放電管構成（５）であって、前記管が、連続的なアーク経路を形成し、前記アーク経路の各端部に配置された電極をさらに備えている、放電管構成（５）と、
前記管中の電流を制御し、リードアウトワイヤ（１１）によって接触端子（１５）に接続される安定器回路（７）と、
前記放電管構成（５）を少なくとも部分的に囲む容積の大きい部分（３）と、前記安定器回路（７）を少なくとも部分的に囲む伸長部（４）とを含む外側封体（２）とを具備し、
前記伸長部（４）が、前記ランプ（１）の口金（６）に前記外側封体（２）を固定するためのネック部（８）を有し、
前記口金（６）がバヨネット型であり、口金シェル（１２）を有し、前記口金シェル（１２）が、前記外側封体（２）に前記口金（６）を固定するための受け部（１３）を有し、
前記受け部（１３）が雌ねじ（１４）を含み、前記伸長部（４）の前記ネック部（８）が前記口金シェル（１２）の前記受け部（１３）の前記雌ねじ（１４）に嵌合する雄ねじ（９）を含み、前記口金（６）が、前記雌ねじ（１４）および前記雄ねじ（９）によって形成されたねじ接合部を使って前記外側封体（２）に固定される、コンパクトな蛍光ランプ（１）。
【請求項２】
前記外側封体（２）が電球形状であり、前記容積の大きい部分（３）が実質的に球状である、請求項１記載のコンパクトな蛍光ランプ。
【請求項３】
前記外側封体（２）がガラスで製作される、請求項１または２記載のコンパクトな蛍光ランプ。
【請求項４】
ロック手段が、ねじ抜けに抗して前記ねじ接合部をロックするために設けられる、請求項１乃至３のいずれか１項記載のコンパクトな蛍光ランプ。
【請求項５】
前記ロック手段が、前記外側封体（２）に形成された凹部（２０）と、前記凹部（２０）に嵌合する突起（２１）とを含み、前記突起（２１）が前記口金シェル（１２）の前記ねじ切り受け部（１３）に形成される、請求項４記載のコンパクトな蛍光ランプ。
【請求項６】
前記突起（２１）が前記口金シェル（１２）の材料の折込みとして形成され、前記折込みが、前記口金シェル（１２）の前記受け部（１３）と一体化されている曲げ縁部（２２）と、前記口金シェル（１２）の前記受け部（１３）を切り込むことによって形成された切込み縁部（２３）とを有する、請求項５記載のコンパクトな蛍光ランプ。
【請求項７】
光源と、
前記光源の電流を制御し、リードアウトワイヤ（１１）によって接触端子（１５）に接続される制御装置と、
前記光源を少なくとも部分的に囲む実質的に球状の部分（３）と、前記制御装置を囲む伸長部（４）とを含む外側封体（２）とを具備し、
前記伸長部（４）が、口金（６）に固定するためのネック部（８）を有し、
前記口金（６）がバヨネット型であり、前記ネック部（８）用の受け部（１３）をもつ口金シェル（１２）を有し、
前記口金（６）が、それぞれ前記ネック部（８）および前記受け部（１３）のねじによって形成されたねじ接合部を使って前記外側封体（２）に固定される、ランプ（１）。
【請求項８】
前記受け部（１３）が雌ねじ（１４）を含み、前記ネック部（８）が前記受け部（１３）の前記雌ねじ（１４）に嵌合する雄ねじ（９）を含む、請求項７記載のランプ。
【請求項９】
コンパクトな蛍光ランプ（１）を製造する方法において、
放電管構成（５）を少なくとも部分的に囲む実質的に球状の部分（３）と、放電管構成（５）の電流を制御するための安定器回路（７）を少なくとも部分的に囲む伸長部（４）とを含む外側封体（２）を設けるステップであって、前記安定器回路（７）が接触端子（１５）に接続するためのリードアウトワイヤ（１１）を有し、前記伸長部（４）が雄ねじ（９）を含むネック部（８）を有するステッップと、
口金シェル（１２）を有するバヨネット型の口金（６）を設けるステップであって、前記口金シェル（１２）が雌ねじ（１４）をもつ受け部（１３）を含むステップと、
前記口金（６）の底部分のそれぞれの孔に前記リードアウトワイヤ（１１）の端部を挿入するステップと、
ねじ込むことによって前記外側封体（２）に前記口金（６）を固定し、それによって、前記雌ねじ（１４）および前記雄ねじ（９）でねじ接合部を生成するステップと、
前記リードアウトワイヤ（１１）の端部に前記接触端子（１５）を形成するステップと
を含む方法。
【請求項１０】
ねじ抜けに抗して前記ねじ接合部をロックするロック手段が、
前記外側封体（２）の外部表面上に凹部（２０）を設けるステップと、
前記口金シェル（１２）の前記ねじ切り受け部（１３）に前記突起（２１）を形成するステップであって、前記突起（２１）は、前記外側封体（２）および前記口金（６）が共にねじ込まれた位置で前記凹部（２０）に嵌合するステップと
によって形成される、請求項９記載の方法。
【請求項１１】
前記突起（２１）が、前記受け部（１３）に切込みを入れ、前記切込みの一方の側で前記受け部（１３）の材料を折り込むことによって前記口金シェル（１２）の材料の折込みとして形成される、請求項１０記載の方法。
【請求項１２】
前記挿入のステップの前に、前記リードアウトワイヤ（１１）が前記ねじ込む方向と反対方向に一緒により合わされる、請求項９乃至１１のいずれか１項記載の方法。
【発明の詳細な説明】
【技術分野】
【０００１】
本発明はランプに関し、より詳細には、汎用の白熱ランプと置き換わることができるコンパクトな蛍光ランプ（ＣＦＬ）に関する。さらにより具体的には、本発明はバヨネット口金をもつランプに関し、ランプは、外側封体と、外側封体内の安定器回路とを有する。
【背景技術】
【０００２】
既知の、市販されている低圧放電ランプの大部分は、現在、ＣＦＬである。これらのランプは、産業用途および家庭用途で広範囲に使用されている白熱ランプと置き換わろうとするものである。これらのランプの主な利点は低電力消費および長寿命である。しかし、ＣＦＬは比較的高価であり、長さ寸法が大きいことが不利である。長さ寸法問題を解決するために多くの形状が提案されている。そのような解決策には、電球形状の外側封体内に閉じ込められた放電管構成が含まれる。
【０００３】
米国特許第７，４５９，８５６Ｂ１号は、ガラスで製作された電球形状の外側封体内に挿入された放電管構成を含むコンパクトな蛍光ランプを開示している。蛍光ランプにエネルギーを供給する安定器回路は外側封体の伸長部に配置されている。既知のＣＦＬは標準エジソン型口金上に白熱ランプの外形を有する。
【０００４】
さらに、バヨネット型口金は当技術分野で一般に知られている。バヨネット型口金は、通常、２つの方法によってランプに固定される。
【０００５】
−  外側封体をもつ白熱ランプまたは他のランプの場合において、ランプアセンブリが口金処理中の高温によって引き起こされる熱応力に耐え、脆弱性のため（ガラス球ネック部に口金をプレス加工する、またはかしめるような）機械的接続が可能でない場合、接着剤を使用することによる方法。バヨネット型口金の場合のそのような既知の固定は、例えば米国特許３，７７５，６３４号に開示されている。
【０００６】
−  ＣＦＬの場合における機械的な方法。口金がハウジングにかしめられ、ハウジングが可撓性プラスチックで製作されている。
【０００７】
脆弱な、例えばガラス製の外側封体を有し、ランプアセンブリが（低圧放電ランプを始動および動作させるための電子安定器、または低電圧ハロゲンランプを動作させるための制御装置、電子変圧器のような）熱の影響を受けやすい構成要素を含む場合には、上述の選択肢のどれも適用することができず、口金と封体との間を適切に固定できるようにするために専用の口金および外側球状物のガラスネック部を開発しなければならない。
【先行技術文献】
【特許文献】
【０００８】
【特許文献１】米国特許３，７７５，６３４号
【発明の概要】
【発明が解決しようとする課題】
【０００９】
したがって、球状外側封体と内部に制御ユニット（例えば安定器回路または制御装置である）とを備え、外側封体がガラスまたは他の脆弱な材料で製作され、安全で、費用効率が高く、効率的な方法でバヨネット型口金に接続されるランプ、特にＣＦＬが特に必要である。外側封体への口金の固定が変位に抗するロック手段によってロックされているランプ、特にＣＦＬがさらに必要である。そのようなランプまたはＣＦＬを製造する方法も必要である。
【課題を解決するための手段】
【００１０】
本発明の例示的実施形態では、コンパクトな蛍光ランプは、
−  放電ガスで満たされた放電容積部を囲む少なくとも１つの放電管で形成され、管の内側表面上に配置された蛍光被覆を有する放電管構成であって、管が、連続的なアーク経路を形成し、アーク経路の各端部に配置された電極をさらに備えている、放電管構成と、
−  管中の電流を制御し、リードアウトワイヤによって接触端子に接続される安定器回路と、
−  放電管構成を少なくとも部分的に囲む容積の大きい部分と、安定器回路を少なくとも部分的に囲む伸長部とを含む外側封体とを具備し、
−  伸長部が、ランプの口金に外側封体を固定するためのネック部を有し、
−  口金がバヨネット型であり、口金シェルを有し、口金シェルが、外側封体に口金を固定するための受け部を有し、
−  口金シェルの受け部が雌ねじを含み、伸長部のネック部が口金シェルの受け部の雌ねじに嵌合する雄ねじを含み、口金が、雌ねじおよび雄ねじによって形成されたねじ接合部を使って外側封体に固定される。
【００１１】
本発明の別の例示的実施形態では、ランプは、
−  光源と、
−  光源の電流を制御し、リードアウトワイヤによって接触端子に接続される制御装置と、
−  光源を少なくとも部分的に囲む実質的に球状の部分と、制御装置を少なくとも部分的に囲む伸長部とを含む外側封体とを具備し、
−  伸長部が、口金に固定するためのネック部を有し、
−  口金がバヨネット型であり、ネック部用の受け部をもつ口金シェルを有し、
−  口金が、それぞれネック部および受け部のねじによって形成されたねじ接合部を使って外側封体に固定される。
【００１２】
本発明の別の態様の例示的実施形態では、コンパクトな蛍光ランプを製造する方法が提案される。この方法は、
−  放電管構成を少なくとも部分的に囲む実質的に球状の部分と、放電管構成の電流を制御するための安定器回路を少なくとも部分的に囲む伸長部とを含む外側封体を設けるステップであって、安定器回路は接触端子に接続するためのリードアウトワイヤを有し、伸長部は雄ねじを含むネック部を有するステップと、
−  口金シェルを有するバヨネット型の口金を設けるステップであって、口金シェルが雌ねじをもつ受け部を含むステップと、
−  口金の底部分のそれぞれの孔にリードアウトワイヤの端部を挿入するステップと、
−  ねじ込むことによって外側封体に口金を固定し、それによって、雌ねじおよび雄ねじでねじ接合部を生成するステップと、
−  リードアウトワイヤの端部に接触端子を形成するステップと
を含む。
【００１３】
開示するＣＦＬ、ランプ、および方法は、口金と外側封体との間の堅固で安全な固定を可能にする。バヨネット型口金をランプに固定するのに接着剤および熱処理を必要とせず、それによって、より簡単でより安価な設計および組立てプロセスを達成することができる。このランプのさらなる利点は、バヨネット型電球形状の白熱ランプと完全な機械的および電気的互換性があり、それによりこのランプは効率的な交換ランプとなることである。提案するランプは、外側封体による環境負荷に対して一定レベルの保護を提供する。
【００１４】
次に、本発明は同封の図を参照しながら詳細に説明される。
【図面の簡単な説明】
【００１５】
【図１】その口金が部分的に断面図である、低圧放電ランプの好ましい実施形態の概略図である。
【図２】断面図の外側封体をもつ図１に示したランプの概略図である。
【図３】部分的に断面図である、ランプの口金部分の概略図である。
【図４】ロック手段をもつランプの口金部分の概略図である。
【図５】図４の面Ａ−Ａに沿って見た拡大断面図である。
【発明を実施するための形態】
【００１６】
最初に、図１および２を参照すると、低圧放電ランプ１が示されている。ランプは、外側封体２が放電管構成５および安定器回路７を囲んでいるＣＦＬが好ましい。安定器回路７は好ましくはプリント回路基板に取り付けられる。放電管構成５および安定器回路７を備えた外側封体２は、例えば米国特許第７，４５９，８５６Ｂ１号に開示されているように製造することができる。外側封体２は、放電管構成５を囲む（好ましくは球状の）容積の大きい部分３と、安定器回路を囲み、バヨネット型口金６に接続するためのネック部８をもつ伸長部４とを有する。ネック部８はバヨネット型口金６に接続するための雄ねじ９を備えている。
【００１７】
放電管構成５は単一の放電管または複数の伸長された放電管を含むことができる。放電管はガラスで製作され、放電ガスで満たされた放電容積部を囲み、管の内側表面上に配置された蛍光性燐光体被覆を有する。管の端部は気密に封止される。管は連続的なアーク経路を形成し、その端部に電極およびその電極に接続されたリードインワイヤ１０が配置される。放電管構成のリードインワイヤ１０は、放電管の電流を制御するための安定器回路７に接続される。安定器回路７は、ランプ口金６の接触端子１５に接続されるリードアウトワイヤ１１を介して関連する供給源にさらに接続される。リードアウトワイヤ１１は互いに分離され、ランプを関連する供給源にソケットを介して接続するための口金６に導かれる。ランプ口金６はソケットに適合するように構成され、そのソケットはランプで通常使用される任意の従来のバヨネット型とすることができる。
【００１８】
図示の実施形態において、コンパクトな蛍光ランプは、実質的に直線の端部区間と、端部区間の間の中間部分とを備えた単一の管の放電管構成５を含む。端部区間は管構成の一方の端部にあり、互いに実質的に平行であり、中間部分はランプの主軸の周りに巻かれたコイル形状を有する。
【００１９】
代替として、放電管構成はランプの主軸と実質的に平行な長手軸をもつ直線の管部材で構成することができ、隣接する管部材は互いに直列に接続されて連続的なアーク経路を形成する。可能な構成には、所要の出力光度に応じて２個、４個、または６個の個別放電管部材をもつ形状を含むことができる。放電管構成は、実質的に同じ長さのＵ字形に曲げられた２個の個別の伸長された放電管部材を含むこともでき、これらの放電管部材は、連続的なアーク経路を形成するようにブリッジによって相互接続される。可能な構成には、所要の出力光度に応じてＵ字形に曲げられた１個または３個の個別の放電管をもつ形状を含むこともできる。Ｕ字形放電管部材は、放電管構成の長さを画定する実質的に平行な直線区間と、曲線状中間区間とを含むことができる。
【００２０】
各放電管は放電ガスで満たされた放電容積部を囲んでいる。図示の実施形態では、それらは円柱状であるが、他の好適な断面を同様に選択することができる。一般に、放電管はガラスで製作されるが、他の好適な材料も考えられる。放電管の壁厚は、主として製造の観点から、さらに全長に沿って放電管内における均一な放電を保証するために実質的に一定であることが好ましい。
【００２１】
可視光を供給するために、放電管の内側表面は蛍光性燐光体層で覆われる。この燐光体層は封止された放電容積部内にある。そのような燐光体層の組成はそれ自体既知である。この燐光体層はＵＶ放射を可視光に変換する。燐光体層は封止される前に、放電管の内側表面に塗布される。
【００２２】
放電管構成５と安定器回路７のプリント回路基板とは外側封体２内に保持され、ランプの主軸に実質的に垂直な平面の方向に向いている保持および保護用シールド１６によって互いに対して保持される。保持および保護用シールド１６は、放電管構成５と安定器回路７のプリント回路基板とを受け取って固定する部分を含み、機械的振動および衝撃に対して十分な保護を与える。
【００２３】
外側封体２は好ましくはガラスで製作され、それにより非常に長い寿命の間、優れた透明度が保証される。当然、他の好適な材料も考えられる。優れた透明度の材料は通常非常に硬質で脆弱であり、その材料に口金を固定するのに従来の機械的な方法を使用することができない。好ましくは安定器回路である電子制御装置のために、高温接着処理を必要とする従来の接着剤を使用することができない。
【００２４】
口金６はバヨネット型であり、２つの部分、すなわち
−  ２つのサイドピンを備えた実質的に円柱状の下部部分と、
−  外側封体２のネック部８に嵌合するねじ切り上部部分と
を含む。
【００２５】
図３に示した好ましい実施形態では、口金６は口金シェル１２を有し、外側封体２に口金６を固定するための受け部１３を有する。口金シェル１２の受け部１３は、ネック部８の雄ねじ９の相手方である雌ねじ１４を含む。それによって、口金６は雌ねじ１４および雄ねじ９によって形成されたねじ接合部を使って外側封体２に固定される。
【００２６】
好ましくはガラス（例えば、ビトリット（ｖｉｔｒｉｔｅ））またはプラスチックで製作された絶縁体部分１７を口金６はさらに有する。ガラス絶縁体部分７は好ましくは口金シェル１２中にキャスティングによって形成され、一方、プラスチック絶縁体部分７は別個に形成し、その後口金シェル内に挿入することができる。絶縁体部分７は、接触端子１５の間に、および接触端子１５と口金シェル１２との間に電気的絶縁を与える。リードアウトワイヤ１１は半田付けによって接触端子１５に接続され、それによって生成された半田付けパッドが好ましくは接触端子１５を形成する。
【００２７】
ランプ１の別の好ましい実施形態では、図４および５に示されるように、ねじ抜けに抗してねじ接合部をロックするためにロック手段が設けられる。ロック手段は、好ましくは、外側封体２に形成された凹部２０と、凹部に嵌合する突起２１とを含む。図示の凹部２０は円柱面を有するが、任意の好適な形態を使用することができる。突起２１は、好ましくは、口金シェル１２の材料の折込みとして口金シェル１２のねじ切り受け部１３に形成される。折込みは、口金シェル１２の受け部１３と一体化されている曲げ縁部２２と、口金シェル１２の受け部１３を切り込むことによって形成された切込み縁部２３とを有することができる。好ましくは、折込みはねじ込みのステップの前に生成され、完全にねじ込まれた状態で凹部２０と一致するように位置決めされる。所定の位置にねじ込まれたとき、折込みのクランプ効果によってクランプ接合部が生成される。この位置から口金をわずかに締め込むことによって、クランプ接合部は固く締まり、それにより非常に固いロックおよび固定がもたらされる。
【００２８】
代替として、突起２１は、凹部２０と口金シェル１２の対応する壁との間に導入され、その壁に半田付けされた半田付け材料で形成することができる。
【００２９】
コンパクトな蛍光ランプ１を製造する好ましい方法では、以下のステップが行われる。放電管構成５を少なくとも部分的に囲む実質的に球状の部分３と、安定器回路７を少なくとも部分的に囲む伸長部４とを含む好ましくは電球形状の外側封体２が設けられる。安定器回路７は関連する供給源用の口金６の接触端子１５に接続するためのリードアウトワイヤ１１を有し、伸長部４は雄ねじ９を含むネック部８を有する。次のステップで、接触端子を有し、口金シェルを有するバヨネット型の口金が設けられる。口金シェルは雌ねじをもつ受け部を含む。リードアウトワイヤ１１はねじ込む方向と反対方向に一緒により合わされ、リードアウトワイヤ１１の端部は口金６の底部分（絶縁体部分１７である）のそれぞれの孔に挿入される。その後、口金６はねじ込むことによって外側封体２に固定され、それによって、雌ねじ１４および雄ねじ９でねじ接合部が生成される。最終的に、リードアウトワイヤ１１は孔の金属内側ライニングに半田付けされ、それによって、接触端子１５が半田付けパッドとして生成される。代替として、半田付けするステップはねじ込むステップの前に行うことができる。
【００３０】
この方法の別の好ましい実施形態では、ねじ抜けに抗してねじ接合部をロックするロック手段が形成される。このために、電球形状の外側封体は好ましくはその外部表面に凹部２０を備え、突起２１が口金シェル１２のねじ切り受け部１３に形成され、突起２１は外側封体２および口金６が共にねじ込まれた位置で凹部２０に嵌合する。
【００３１】
好ましくは、突起２１は、受け部１３に切込みを入れ、切込みの一方の側で受け部１３の材料を折り込むことによって口金シェル１２の材料の折込みとして形成される。代替として、突起２１は上述のように半田付け材料で製作することができる。
【００３２】
本発明が図面を参照しながら開示されたが、本発明は図示および開示された実施形態に限定されず、他の要素、改良、および変更も本発明の範囲内であることが当業者には明らかであろう。例えば、いくつかの他の形態の封体、放電管、およびバヨネット型口金が本発明の目的のために適用可能であることは明らかである。例えば、封体は球体形またはＴ字形を有することができる。ランプ内の放電管部材の数および形態もランプのサイズまたは所望の出力に応じて変えることができる。電源への電気接続を行うために使用されるバヨネット型口金シェルも任意の標準または非標準の型から選択することができる。
【００３３】
最良の形態を含む本説明は、本発明を開示し、さらにいかなる当業者も本発明を実施および使用することができるようにするために例を使用している。本発明の特許の範囲は特許請求の範囲によって規定され、当業者なら思いつく他の例を含むことができる。そのような他の例は、それらが特許請求の範囲の文字どおりの意味と異ならない構造要素を有する場合、またはそれらが特許請求の範囲の文字どおりの意味と実質的に差がない均等な構造要素を含む場合、特許請求の範囲の範囲内にあるものである。
【符号の説明】
【００３４】
１  低圧放電ランプ、蛍光ランプ
２  外側封体
３  容積の大きい部分
４  伸長部
５  放電管構成
６  バヨネット型口金、ランプ口金
７  安定器回路、
８  ネック部
９  雄ねじ
１０  リードインワイヤ
１１  リードアウトワイヤ
１２  口金シェル
１３  受け部
１４  雌ねじ
１５  接触端子
１６  保持および保護用シールド
１７  絶縁体部分
２０  凹部
２１  突起
２２  曲げ縁部
２３  切込み縁部
【図１】
2010205727.tif 000003
【図２】
2010205727.tif 000004
【図３】
2010205727.tif 000005
【図４】
2010205727.tif 000006
【図５】
2010205727.tif 000007